(57)【要約】  【課題】模倣された外装材を用いた電池や特性や異種が異なる電池を故意に抜き替えたものにおいても正規専用充電器での充電が可能であるが、充電時における電池の安全性は保証されないという問題を有しているため、高い識別能力をもち、模倣、および模造防止に対し従来よりも効果的な識別手段を備える外装材に内蔵された二次電池を提供するものである。  【解決手段】外装材に少なくとも一つ以上の二次電池を内蔵し、外装材表面の少なくとも一箇所以上に、二次電池１の個体を識別するための識別ラベル２を貼着させた構成とする。また、識別ラベル２は多層構造を有し、かつ多層面の少なくとも一層以上に、脆質加工処理が施された構成とする。【選択図】  図１
2005302635.tif 000002
【特許請求の範囲】
【請求項１】
外装材に少なくとも一つ以上の二次電池を内蔵し、前記外装材の表面の少なくとも一箇所以上に多層構造を有し、かつ多層面の少なくとも一層以上に、脆質加工処理を施した識別ラベルを貼着させたことを特徴とする二次電池。
【請求項２】
多層構造を有した識別ラベルの粘着面に粘着剤が塗着されており、粘着剤層の反対の表面あるいはそれ以外の任意の層に、前記識別ラベルを識別するための識別手段が施された構成であることを特徴とする請求項１記載の二次電池。
【請求項３】
識別手段として、識別ラベルの粘着剤層以外の少なくとも一層以上の層に、模様または文字を印刷したことを特徴とする請求項２記載の二次電池。
【請求項４】
識別手段として、識別ラベルの粘着剤層とは反対の表面層に、可視光以外で発光する蛍光体を塗着させたことを特徴とする請求項２記載の二次電池。
【請求項５】
識別手段として、識別ラベルの粘着剤層とは反対の表面層に、透明かつ導電性を有する材料を塗着させたことを特徴とする請求項２記載の二次電池。
【請求項６】
識別手段として、識別ラベルの粘着剤層とは反対の表面層に、光導電性材料を塗着させたことを特徴とする請求項２記載の二次電池。
【発明の詳細な説明】
【技術分野】
【０００１】
本発明は、リチウムイオン電池に代表される二次電池の電池品種、商品名、製造元、および製造番号等の情報を正確に識別するためのラベルを付した二次電池に関するものである。
【背景技術】
【０００２】
従来の二次電池は、電池の品種、商品名、および製造元等の情報を有するラベルを二次電池本体を内蔵する外装面に粘着するか、あるいは、外装材に印刷されている。
【０００３】
本来、二次電池は、その電池特性に適切に対応した充電器との組み合わせにより安全に充電することができる。そのため電池製造元の識別、および／または、電池品種の識別が行われており、正規に設計された充電器の嵌合
などの機械的な方法や充電端子の正極側を共通位置とし、負極側を個別位置とする等の個別対応の機構的な方法により実施していた。
【０００４】
しかし、正規の外装材に対し特性や異種が異なる電池を故意に抜き替えたものや模倣された外装材を用いた電池を正規に設計された専用充電器に接続した場合でも、充電可能であり、充電時における電池の安全性は保証されないという課題を有していた。
【０００５】
そこで、電池表面に金属箔層を設けたホログラムフィルムを熱収縮性の樹脂フィルムの一主面に、接着剤層を介して積層・貼着して虹色を出現する熱収縮性ホログラムを外装材に用いる方法が開示されている。（例えば、特許文献１参照）
また、収縮性を有する樹脂フィルムの主一面に、ホログラム層、あるいはホログラム層および印刷模様層を設けて成るシュリンクラップフィルムを外装材に用いることで、印刷模様効果に、ホログラム層による装飾効果を付加して、模造防止の機能を持たせる方法が開示されている。（例えば、特許文献２参照）
さらに、外装封止層を粘着剤層、ホログラム層、接着剤層、印刷模様付き熱収縮性樹脂フィルム層、及び印刷模様付き面を被覆する滑性保護層よりなる積層体で構成し、滑性保護層を最外周面とすることで、優れた外装美観・表示機能を有し、かつ模造防止も行える方法が開示されている。（例えば、特許文献３参照）
【特許文献１】特開平０９−０１５４２１号公報
【特許文献２】特開平０９−０７６３９６号公報
【特許文献３】特開２００３−１２３７０５号公報
【発明の開示】
【発明が解決しようとする課題】
【０００６】
模倣された外装材を用いた電池や正規の外装材を用いて、特性や異種が異なる電池を故意に抜き替えたものなどにおいては、上記のような嵌合などの機械的な方法や端子位置などの個別対応の機構的な方法を用いても防止し切れず、従来よりも模倣、および模造が困難な手段が求められている。
【０００７】
本発明では、高い識別能力をもち、模倣、および模造防止に対し従来よりも効果的な識別手段を備える外装材に内蔵された二次電池を提供するものである。
【課題を解決するための手段】
【０００８】
上記課題を解決するために本発明では、外装材に少なくとも一つ以上の二次電池を内蔵し、外装材の表面の少なくとも一箇所以上に、二次電池の個体を識別するための識別ラベ
ルを貼着させた構成とするものである。また、この識別ラベルは多層構造を有し、外装材に接する面に粘着剤が塗布されており、粘着剤層の反対の表面層、あるいはそれ以外の任意の層のうち少なくとも一層に脆質加工処理が施されており、さらに、識別ラベルを識別するための別の識別手段が施されていることを特徴としている。
【発明の効果】
【０００９】
本発明によれば、正規の外装材に内蔵された二次電池の模倣、および模造を困難にし、電池製造元、電池供給先、および消費者の保護に大きく寄与するだけでなく、模倣、および模造電池を用いて発生する電池の不安全事故を抑止することができる。
【発明を実施するための最良の形態】
【００１０】
本発明の少なくとも一つ以上の二次電池を外装材に内蔵した二次電池について、図面を用いて説明する。
【００１１】
図１、および図２は、外装材に内蔵した二次電池１の少なくとも一箇所に、この二次
電池の個体を識別するための識別ラベル２が貼着されている。ここで、識別ラベルの形状としては、特に限定されるものではなく、例えば、丸形、四角形、楕円形等の任意の形を選択することが可能である。
【００１２】
また、この識別ラベル２は、図３に示したように、多層構造を有し、粘着剤層３に粘着剤が塗布されており、かつ多層面の少なくとも一層以上に、脆質加工処理が施されている。また粘着剤層の反対の表面層４、あるいはそれ以外の任意の層に、識別ラベル２を識別するための識別手段が施された構成となっている。
【００１３】
まず、識別手段の第一の方法としては、図３における識別ラベル２において、粘着剤層３および粘着剤層の反対の表面層４以外の中間層５、或いは中間層６に文字または模様などが印刷されている。
【００１４】
このように、文字または模様を施すことで、識別ラベル２により、外装材に内蔵した二次電池の識別性が高められるだけでなく、この識別ラベルを剥がすと模様および文字が脱落を起こし、識別ラベルの再貼着が不可能となり、図１に示されるように模倣された外装材に本発明の識別ラベル２を貼ることは出来ない。また、正規の外装材を用いて特性や異種が異なる電池を故意に抜き替えるものなどにおいては、図２に示されるように外装材接合部８に本発明の認識ラベル２を貼着しているため、外装材接合部８において外装材７を剥がし内部の二次電池を抜き替えることが困難になる。それにより、従来の手段より模倣、および模造防止効果を付与することができる。
【００１５】
また、識別手段の第二の方法としては、図３において、多層構造を有した識別ラベル２の粘着剤層の反対の表面層４に、可視光以外で発光する蛍光体が塗着されている。この蛍光体としては、紫外線あるいは赤外線により発光するフォトルミネセンス材料、Ｘ線により発光するＸ線ルミネセンス材料、陰極線により発光する陰極線ルミネセンス材料、放射線電場により発光するエレクトロルミネセンス材料を用いることができるが、これらに限定されるものではない。
【００１６】
このように、識別ラベル表面に蛍光体を塗着することで、識別ラベルにより、外装材に内蔵した二次電池の識別性が高められるだけでなく、各種線源よりの照射により、識別ラベルが発光することや図１、図２で示されるように識別ラベル２を再貼着が不可能なため、模倣、および模造防止効果をも付与することができる。
【００１７】
次に、識別手段の第三の方法としては、図３において、多層構造を有した識別ラベル２
の粘着剤層の反対の表面層４に、透明かつ導電性を有する材料が塗着されている。この材料としては、ポリアセチレン、ポリフェニレン、ポリピロール、ポリチオフェン、ポリキノリン、ポリピリジン、ポリアニリン等の導電性高分子を用いることができるが、これらに限定されるものではない。
【００１８】
このように、識別ラベル表面に導電性材料を塗着することで、識別ラベルにより、外装材に内蔵した二次電池の識別性が高められるだけでなく、識別ラベルの導電性をチェックすることや図１、図２で示されるように識別ラベル２を再貼着が不可能なため、模倣、および模造防止効果をも付与することができる。
【００１９】
さらに、識別手段の第四の方法としては、図３において、多層構造を有した識別ラベル２の粘着剤層の反対の表面層４に、光導電性材料が塗着されている。この材料としては、硫化物としてＣｄＳ、ＰｂＳ、ＺｎＳ、Ｐｂ２Ｓ２、セレン化物としてＣｄＳｅ、Ａｓ２Ｓｅ２、ＰｂＳｅ、テルル化物としてＰｂＴｅ、ＨｇＸＣｄ１−ＸＴｅ等の材料を用いることができるが、これらに限定されるものではない。
【００２０】
このように、識別ラベル表面に光導電性材料を塗着することで、識別ラベルにより、外装材に内蔵した二次電池の識別性が高められるだけでなく、識別ラベルの電気抵抗をチェックすることや図１、図２で示されるように識別ラベル２を再貼着が不可能なため、模倣、および模造防止効果をも付与することができる。
【実施例１】
【００２１】
本発明の一実施例について図面を参照しながら説明する。
【００２２】
まず、図３に示すように、多層構造を有した識別ラベル２の粘着剤層３および粘着剤層の反対の表面層４以外の中間層５の表面に、識別のための模様を印刷すると共に、中間層６の表面には識別のための文字を印刷した。ここで、識別ラベルの多層面の少なくとも一層以上に、脆質加工処理を施こすと共に、識別ラベル２の粘着剤層３に、シリコン系の粘着剤を塗布することで、識別ラベル２を構成した。
【００２３】
次に、図１に示すように、この識別ラベル２を外装材の表面に貼着することにより、所定の外装材に内蔵した二次電池１を作製した。
【００２４】
このようにして作製した二次電池１上の識別ラベル２は、一度外装材に貼着後に、この識別ラベル２を剥がすと、中間層５または、中間層６に印刷した模様および文字が脱落を起こし、再貼着させることは困難であった。そのことにより、電池品種、商品名、製造元、および製造番号等の情報を正確に識別することができる上、模倣された外装材を用いた場合や正規の外装材を剥がして特性や異種が異なる電池に抜き替えたものにおいても識別が可能であった。
【実施例２】
【００２５】
図３に示すように、識別ラベル２の粘着剤層の反対の表面層４に、β−ＺｒＮＣｌの結晶を分散させた塗料を塗着させると共に、識別ラベル２の粘着剤層３に、シリコン系の粘着剤を塗布することで、識別ラベル２を構成した。
【００２６】
次に、図１、および図２に示すように、この識別ラベル２を外装材の表面に貼着することにより、所定の外装材に内蔵した二次電池１を作製した。
【００２７】
このようにして作製した二次電池１上の識別ラベル２は、可視光の下では区別が付かないが、この識別ラベル２に紫外線を照射することにより、鮮やかな黄色の発光が起こり、
所定の外装材に内蔵した二次電池である事の識別を行うことが可能であった。また、模倣された外装材や特性や異種が異なる電池に抜き替えたものにおいても識別が可能であった。
【実施例３】
【００２８】
図３に示すように、識別ラベル２の粘着剤層の反対の表面層４に、ポリアセチレン薄膜を形成すると共に、識別ラベル２の粘着剤層３に、シリコン系の粘着剤を塗布することで、識別ラベル２を構成した。
【００２９】
次に、図１、および図２に示すように、この識別ラベル２を外装材の表面に貼着することにより、所定の外装材に内蔵した二次電池１を作製した。
【００３０】
このようにして作製した二次電池１上の識別ラベル２は、透明であるため、可視光の下では区別が付かないが、この識別ラベル２の導通チェックあるは導電率計測を行うことにより、導電性の有無を確認することができ、所定の二次電池である事の識別を行うことが可能であり、模倣、および模造防止効果をも付与することができた。
【実施例４】
【００３１】
図３に示すように、多層構造を有した識別ラベル２の粘着剤層の反対の表面層４に、ＰｂＳを分散させた塗料を塗着させると共に、識別ラベル２の粘着剤層３に、シリコン系の粘着剤を塗布することで、識別ラベル２を構成した。
【００３２】
次に、図１、および図２に示すように、この識別ラベル２を外装材の表面に貼着することにより、所定の外装材に内蔵した二次電池１を作製した。
【００３３】
このようにして作製した二次電池１上の識別ラベル２は、可視光の下では区別が付かないが、この識別ラベル２に赤外線を照射することにより、電気抵抗が変化し識別ラベル２の抵抗チェックを行うことにより、所定の外装材付き二次電池１である事の識別を行うことが可能であった。
【００３４】
これまで述べてきたように、識別ラベルの識別手段としては、文字・模様認識、蛍光チェック、導通チェック、抵抗チェック等の具体的実施例を示したが、これらの方法に限定されるものではない。
【産業上の利用可能性】
【００３５】
外装材に内蔵した少なくとも一つ以上の二次電池を識別するための識別ラベルを貼着することで、電池品種、商品名、製造元、および製造番号等の情報を正確に識別でき、電池製造元、電池供給先、および消費者の保護に大きく寄与するだけでなく、模倣、および模造防止効果をも付与することができる。
そのことにより、模倣、および模造電池を用いて発生する誤充電等の電池の安全性が保証されないなどという諸問題を抑止する手段として有効である。
【図面の簡単な説明】
【００３６】
【図１】実施例１〜４における外装材に内蔵した二次電池の斜視図
【図２】実施例１〜４における外装材に内蔵した二次電池の斜視図
【図３】実施例１〜４における識別ラベルの断面図
【符号の説明】
【００３７】
１  外装材に内蔵した二次電池
２  識別ラベル
３  粘着剤層
４  粘着剤層の反対の表面層
５  中間層
６  中間層
７  外装材
８  外装材接合部
【図１】
2005302635.tif 000003
【図２】
2005302635.tif 000004
【図３】
2005302635.tif 000005